(57)【要約】【課題】  食器の種類やサイズに応じて容易に仕切り枠のみを取り替え、簡単な構成で食器の種類やサイズに容易に対応可能な食器洗浄機用食器収容ラックとする。【解決手段】  食器洗浄機で食器を洗浄する際に、食器を載せるための食器収容ラックであって、側枠２と底部３と一体に形成されたベース枠体１の前記側枠２に仕切り枠４を取り替え可能に設ける。【選択図】  図１
0003104862.tif 000002
【実用新案登録請求の範囲】
【請求項１】
食器洗浄機で食器を洗浄する際に、食器を載せるための食器収納ラックであって、側枠と底部と一体に形成されたベース枠体の前記側枠に仕切り枠が取り替え可能に設けられていることを特徴とする食器洗浄機用食器収納ラック。
【請求項２】
側枠に溝又は孔が設けられると共に、仕切り枠の側端部に爪が設けられ、この爪が前記溝又は孔に嵌合し、溝又は孔の縁部に取り付け、取り外し自在に係止されていることを特徴とする請求項１記載の食器洗浄機用食器収納ラック。
【考案の詳細な説明】
【技術分野】
【０００１】
本考案は、食器洗浄機に食器をセットするための食器収容ラックに係り、詳しくは、食器の種類やサイズに対応可能な食器洗浄機用食器収容ラックに関するものである。
【背景技術】
【０００２】
従来、食器の種類やサイズに対応可能なラックとして、実開平６ー２６７６３の食器類の洗浄・保管ラックが提案されている。
この考案は、側壁で囲繞された四角形のフレームと一体の底格子からなる基礎枠体、格子構造体を有する格子枠体及び補助枠体を有し、これら枠体の少なくとも二種類以上を嵌合して上下に積み重ね、連結ピンで一体に結合している。
これにより、収容する食器類の形状、大きさ等により任意の格子枠体を選択できるようにしたものである。
【０００３】
しかし、この構成は各枠体を上下方向に複数本の連結ピンで一体的に結合するものであるから、連結ピンの貫通穴を形成するのに側壁を二重壁に形成しなければならず、構成は複雑なものとなると共に、連結ピンは下端部が逆截頭円錐状に形成され、かつスリットが設けられ、連結ピンはピン挿通穴に挿入された時は縮径され、ピン挿通穴から出ると拡径され段部に係止されるもので、格子枠体の取り替えに際し、連結ピンの係止を解除することは困難である。
又、頻繁な取り付け、取り外しは連結ピンの折損をきたす原因ともなる。更に、格子枠体はフレームと格子構造体が一体となっている。
【０００４】
又、食器の種類や個数に応じて対応可能なラックとして、実用新案登録第３０４３６３０号のコンビネーションラックが提案されている。
この考案は、底部が同一形状の４個の食器収容ラックを洗浄する食器の種類や数量に応じた自由な組み合わせで、ラックベースに嵌め込むようにしたもので、各食器収容ラックにそれぞれ仕切り枠と一体に凸状の底部を有する周囲の枠部を有しており、構成も複雑であると共に各食器収容ラックに収納される食器の数量も少なく、ホテルやレストラン等のように食器を多量に使用するところでは不適である。
【考案の開示】
【考案が解決しようとする課題】
【０００５】
上記点より本考案は、食器の種類やサイズに応じて容易に仕切り枠のみを取り替え、簡単な構成で食器の種類やサイズに容易に対応可能な食器洗浄機用食器収容ラックを提供しようとするものである。
【課題を解決するための手段】
【０００６】
上記課題を解決するため請求項１記載の本考案食器洗浄機用食器収容ラックは、食器洗浄機で食器を洗浄する際に、食器を載せるための食器収容ラックであって、側枠と底部と一体に形成されたベース枠体の前記側枠に仕切り枠が取り替え可能に設けられていることを特徴とするものである。
【０００７】
このような構成とすることにより、ベース枠体の側枠に仕切り枠が取り替え可能であるため、食器の種類やサイズに応じて数種類の仕切り枠を用意して、洗浄する食器に合った仕切り枠に取り替えて使用することができる。
【０００８】
次に、請求項２記載の本考案食器洗浄機用食器収容ラックは、請求項１記載の食器洗浄機用食器収容ラックにおいて、側枠に溝又は孔が設けられると共に、仕切り枠の側端部に爪が設けられ、この爪が前記溝又は孔に嵌合し、溝又は孔の縁部に取り付け、取り外し自在に係止されていることを特徴とするものである。
【０００９】
このような構成とすることにより、仕切り枠を取り替える時は、側枠の溝又は孔の縁部に係止している仕切り枠の爪の係止を解き、溝又は孔から爪を外せば容易に仕切り枠を側枠から取り外すことができる。
次いで、洗浄する食器に合った仕切り枠の側端部に設けた爪を、側枠の溝又は孔に嵌合して溝又は孔の縁部に係止することで容易に仕切り枠を側枠に取り付けることができる。
【考案の効果】
【００１０】
本考案食器洗浄機用食器収容ラックによれば、ベース枠体の側枠に仕切り枠が取り替え可能であるため、食器の種類やサイズに応じて数種類の仕切り枠を用意して、洗浄する食器に合った仕切り枠に取り替えて使用ができ、ベース枠体は常時同一のものが使用できるため、仕切り枠のみを用意すればよく、製造コストが安価となる効果を有する。
【００１１】
又、仕切り枠の取り替えは、ベース枠体の側枠の溝又は孔の縁部に係止している仕切り枠の爪の係止を解き、溝又は孔から爪を外せば容易に仕切り枠を側枠から取り外すことができる。
次いで、予め用意した仕切り枠から洗浄する食器に合った仕切り枠を選んで、この仕切り枠の側端部に設けた爪を、ベース枠体の側枠の溝又は孔に嵌合して溝又は孔の縁部に係止することで容易に仕切り枠を側枠に取り付けることができ、簡単な構成で仕切り枠取り付け、取り外しが容易に行える効果を有する。
【考案を実施するための最良の形態】
【００１２】
以下、本考案の一実施の形態を図面を参照して説明する。
図１は本考案食器洗浄機用食器収容ラックの一実施の形態を示す縦断側面図、図２は同上の分解斜視図、図３は側枠の正面図である。
【００１３】
本考案食器洗浄機用食器収容ラックは、食器洗浄機で食器を洗浄する際に食器を載せるためのものである。
合成樹脂から成る食器収容ラックは、周側が四角形の側枠２及びこの側枠２と一体に形成された底部３を有するベース枠体１と、このベース枠体１に取り替え可能に設けられた仕切り枠４から構成されている。
【００１４】
側枠２はリブにより格子状に形成され、コーナー部及び上部周側は格子の開口は閉塞５され補強されている。
又、側枠２の対向する長辺側及び短辺側に手掛け部６が形成され、この手掛け部６の上方も開口は閉塞７され補強されている。
【００１５】
側枠２の対向する長辺側に、所定の間隔をおいて格子の開口部８の略中央部より上方が狭小に形成された溝９が形成され、この溝９の上縁部１０は肉厚に形成され補強されている。この溝９に代え、開口部８を閉塞して上下方向に長孔を穿設することもできる。
【００１６】
側枠２と一体に形成された底部３は、リブにより格子状に形成されている。
【００１７】
仕切り枠４はコップ類、皿、コーヒーカップ、茶わん等食器の種類やサイズにより数種類のものが用意されるが、図面ではコップ類の仕切り枠４を示しているので、これにつき説明する。
仕切り枠４は比較的薄いパネル１１で構成され、このパネル１１は頭部１１ａと下方へ垂設する脚部１１ｂを有し、連結リブ１２で連結され、側枠２と共にコップ類が収容される複数の区画室１３を形成している。
【００１８】
そして、仕切り枠４の側端部である側枠２との接触部は連結リブ１２が配設され、この連結リブ１２の端部に上向きの爪１４が連結リブ１２と一体に形成されている。
この爪１４は側枠２の溝９に嵌合し、溝９の上縁部１０に係止される。よって、側枠２の溝９は爪１４と対応し、対向箇所に設けられるが、必ずしも総ての連結リブ１２の端部に爪１４が必要なものではなく、図面では側枠２の長辺側の溝９に対向する箇所の連結リブ１２のみに爪１４が設けられている。
【００１９】
勿論、側枠２の溝９は図示された箇所に限定されるものではなく、それ以外にも短辺側に設けることもできる。この場合は、仕切り枠４の対応する連結リブ１２の端部にも爪１４を設ける。
又、異なる種類の仕切り枠４を使用する場合で、溝９の位置が爪１４の位置と合わないものは、それに対応する箇所にも当然溝９は設けられる。
【００２０】
又、仕切り枠４を外してベース枠体１のみを使用することもできる。この場合は、底部３の格子を細かな開口とすれば、フオークやナイフ等を横に寝かせて置くことができる。
【００２１】
仕切り枠４の側枠２の溝９への取り付けは、仕切り枠４の一方の側の側端部の各爪１４を側枠２の一方の長辺側の溝９を有する開口部８へ挿通し、上方の溝９へ連結リブ１２の先端を嵌合し、各爪１４を溝９の上縁部１０に順次係止する。
そして、他方の側の側端部の各爪１４を側枠２の他方の長辺側の溝９を有する開口部８へ挿通するが、この時は合成樹脂製の仕切り枠４の弾力を利用し、仕切り枠４を反対側へ強く押して挿通し、上方の溝９へ連結リブ１２の先端を嵌合し、各爪１４を溝９の上縁部１０に順次係止する。
【００２２】
次に、仕切り枠４の取り外しは、仕切り枠４の一方の側の側端部の各爪１４の連結リブ１２を下方へ強く押すと共に、仕切り枠４を他方の側へ強く押し、溝９の上縁部１０より爪１４を弾力で外し、開口部８から引き抜き取り外せば、後は他方の側の側端部の各爪１４を引き抜けば容易に外れる。
【００２３】
以上、本考案を実施形態に基づき具体的に説明したが、本考案は上記実施形態に何ら限定されるものではなく、例えば、仕切り枠４の側端部はパネル１１の側部に直接爪１４を突出して形成しても良く、側枠２を壁面とし、壁面に爪１４が係止される溝９又は孔を設けることもできる等、本考案の趣旨を逸脱しない範囲内で種々改良変形が可能である。
【図面の簡単な説明】
【００２４】
【図１】本考案食器洗浄機用食器収容ラックの一実施の形態を示す縦断側面図である。
【図２】本考案食器洗浄機用食器収容ラックの一実施の形態を示す分解斜視図である。
【図３】本考案食器洗浄機用食器収容ラックのベース枠体の正面図である。
【符号の説明】
【００２５】
１  ベース枠体
２  側枠
３  底部
４  仕切り枠
５、７  閉塞
６  手掛け部
８  開口部
９  溝
１０  上縁部
１１  パネル
１１ａ  頭部
１１ｂ  脚部
１２  連結リブ
１３  区画室
１４  爪
【図１】
0003104862.tif 000003
【図２】
0003104862.tif 000004
【図３】
0003104862.tif 000005